(57)【要約】【課題】  アンカーとプレートを契合固定することによって、プレートの回転ずれを防止し、アンカー軸芯の釘を打撃して軸先を拡幅固定する構造を採用することにより確実にプレートを固定する。【解決手段】  位置情報を明示するプレート１と、そのプレートを地面に固定するアンカー３とによって構成される固設構造において、前記プレート１とアンカー３には契合部が形成され、その契合部が互いに契合することによりアンカーを中心としたプレートの回転が阻止される構成とされ、前記アンカー３は、プレートに当接する頭部７と、その頭部から延びて地中に固定される軸部８を有し、その軸芯には頭部から釘２が挿通され、その釘２が軸部先端に向かって打ち込まれると、釘２の先端が軸部先端に割り込んで軸先を拡幅し、拡幅部分によって地中に固定される。【選択図】        図１
2007114010.tif 000002
【特許請求の範囲】
【請求項１】
位置情報を明示するプレートと、そのプレートを地面に固定するアンカーとによって構成される固設構造において、
前記プレートとアンカーには契合部が形成され、その契合部が互いに契合することによりアンカーを中心としたプレートの回転が阻止される構成とされ、
前記アンカーは、プレートに当接する頭部と、その頭部から延びて地中に固定される軸部を有し、その軸芯には頭部から釘が挿通され、その釘が軸部先端に向かって打ち込まれると、釘の先端が軸部先端に割り込んで軸先を拡幅し、拡幅部分によって地中に固定される構成とした測量地点明示プレートの固設構造。
【請求項２】
前記アンカーは平面視角形の頭部を有し、前記プレートはアンカーの頭部の形状に沿った陥没部を有し、前記アンカーの頭部が陥没部に嵌合することによって契合する構成とした請求項１記載の測量地点明示プレートの固設構造。
【発明の詳細な説明】
【技術分野】
【０００１】
本発明は、測量地点明示プレートの固着構造に関する。
【背景技術】
【０００２】
従来、コンクリートやアスファルトの地面上の測量点、境界等には測量地点明示プレートが設置されている。この測量地点明示プレートは、釘等でプレート本体を貫通して地面に固定し、あるいは、ドリル等によってプレートを穿孔して釘等で固定し、その表面に、文字、矢印、記号等を付して地点の情報を明示するものである。
そして、このような測量地点明示プレートに関する技術として実用新案登録第３０５６８０６号公報記載の技術が知られている。
【特許文献１】実用新案登録第３０５６８０６号公報
【発明の開示】
【発明が解決しようとする課題】
【０００３】
しかしながら、前記従来の測量地点明示プレートは、一本の釘によってプレートを地面に固定する構成であるため、風雨による浸食、衝撃等により固定部分に隙間が生じて、釘を中心としてプレートが回転してずれるという問題があった。
この回転ずれを防止するためには、釘を２カ所以上に挿通しなければならないが、２カ所に釘を挿通したのでは設置の手間がかかると共に、プレートが小さい場合には、２本の挿通スペースを確保するのが困難である。
また、プレートを固定する場合に釘を打撃するが、打撃時の衝撃により、設置時にプレートがずれるおそれもある。
本発明は係る従来の問題点を解決するためになされたものであって、その目的とするところは、アンカーとプレートを契合固定することによって、プレートの回転ずれを防止し、アンカー軸芯の釘を打撃して軸先を拡幅固定する構造を採用することにより確実にプレートを固定する測量地点明示プレートの固設構造を提供することにある。
【課題を解決するための手段】
【０００４】
前記目的を達成するための手段として、請求項１記載の測量地点明示プレートの固設構造では、位置情報を明示するプレートと、そのプレートを地面に固定するアンカーとによって構成される固設構造において、前記プレートとアンカーには契合部が形成され、その契合部が互いに契合することによりアンカーを中心としたプレートの回転が阻止される構成とされ、前記アンカーは、プレートに当接する頭部と、その頭部から延びて地中に固定される軸部を有し、その軸芯には頭部から釘が挿通され、その釘が軸部先端に向かって打ち込まれると、釘の先端が軸部先端に割り込んで軸先を拡幅し、拡幅部分によって強固に地中に固定する構成とした。
【０００５】
請求項２記載の測量地点明示プレートの固設構造では、請求項１記載の測量地点明示プレートの固設構造において、前記アンカーは平面視角形の頭部を有し、前記プレートはアンカーの頭部の形状に沿った陥没部が形成され、その角形の頭部が陥没部に収容されて契合する構成とした。
【発明の効果】
【０００６】
本発明では、前記構成を採用することにより、以下の効果が得られる。
プレートとアンカーは契合部を介して固定されるので、プレートの設置後はアンカーを中心としたプレートの回転ずれが阻止される。
従来では、プレートの回転ずれを防止するために、釘をプレートの２カ所に挿通しなければならなかったが、本発明ではプレートとアンカーは契合固定されるので、アンカー一本のみでプレートの回転ずれを防止できる。
また、契合はアンカーの角形の頭部がプレートの陥没部分に嵌合することによってなされるので、簡易でしかも確実な契合構造が実現される。
さらに、アンカー軸芯の釘を打撃して軸先を拡幅固定する構造を採用しているので、拡幅部分によって強固に地中に固定される。
【発明を実施するための最良の形態】
【０００７】
本発明を実施するための最良の形態を説明する。
【実施例１】
【０００８】
以下、本発明の具体的実施例を説明する。
本発明の測量地点明示プレートの固設構造は図１〜図３に示すように、アルミニウム製の金属プレート１と、ステンレス等の金属釘２を備えたアルミニウム製のアンカー３とによって構成され、位置情報を明示したプレート１をアンカー３によって地面に固定する構造である。
前記プレート及びアンカーの素材は任意であるが、屋外に恒久的に設置されるものであることから、衝撃、摩擦、腐食に耐性のある金属を使用する。アルミニウムの他には真ちゅう、ステンレス等が主に使用される。
【０００９】
前記プレート１には各種文字、矢印、記号等が付され、測量点、境界等の情報を明示する。大きさ、形状は設置場所、目的等によって適宜設定されるが、一般的には縦横数ｃｍ、厚さ数ｍｍである。
プレート１の中央部分には、アンカーの挿通孔４が形成され、挿通孔４の上面は切削されて陥没部分５が形成されている。
この陥没部分５は上端面の正方形の開口と、その開口からやや内側に傾きながら垂下した四方の側面と、側面から水平に折れ曲がった底面によって構成され、底面の中央に円形の孔６が形成されている。
この陥没部分５はアンカー３の頭部の形状に合致して陥没させたものであり、この陥没部分にアンカーの頭部が嵌合する。
【００１０】
前記アンカー３は、アルミニウム製の頭部７及び軸部８と、頭部から挿入された釘２によって構成され、頭部７及び軸部８は一体的に形成されている。
前記頭部７は平面視正方形の上面と、その上面からやや内側に傾きながら垂下した四方の側面と、側面から水平に折れ曲がった底面によって構成され、底面中央には円柱の軸部８が下に向かって延びている。
前記アンカーの軸心には頭部から全長の３分の２程度の深さまで、釘２の挿通孔９が形成されている。そして、挿通孔９からの先は切れ目１０によって軸の先端が２分されている。また、軸部の先端部分は固定時の摩擦を増大させるための筋１１が刻まれている。
前記釘２は全長の３分の２程度をアンカー３本体に挿入して、残りの頭部を上方に突出している。釘２は挿通孔９の奥まで挿入されているが、釘が打撃されると、釘の先端が切れ目１０を押し広げて進行する。
切れ目１０が開かれると図４に示すように基部から二股に分かれて拡幅することになる。
このように軸部８の先端が拡幅すると、この拡幅部分が地中でストッパの役割を果たしてアンカー３の抜けと回転を防止する。
本実施例では、アンカー３本体がアルミニウム製であるので、プレート１を固定する強度と、釘２の挿入によって先端が屈曲する柔軟性の両方を兼ね備えている。
【００１１】
次に、測量地点明示プレートの固設方法を説明する。
測量においては、土地の境界、地中に埋設された電線ケーブルや水道管、ガス管等の位置を調査し、プレート１の設置点を確定する。
プレート１の設置点では、アンカー３の挿入点に印を施し、印の位置をドリルで穿孔する。
穿孔はアンカーが密着できるようにアンカーの外周と同一程度の径とする。
プレート１の挿通孔４を穿孔に合わせてアンカー３を挿入する。このとき、アンカーの頭部７はプレートの陥没部分５に嵌合する。
アンカー頭部の釘２をハンマーで打撃する。
ここでは、契合部は予め契合させて、プレート１も位置決めされた状態で釘を打撃するので、位置ずれを起こすおそれは無い。
従来では、アンカー本体の頭部を直接打撃するので、打撃時にアンカー本体が傾き、また回転するおそれがあった。
しかしながら、本発明では地面の穿孔にアンカー３を挿入して、頭部の釘２を打撃するので、回転ずれを防止して確実に目的の位置にプレート１を固定することができる。
プレート１の固定後は、釘２の先端がアンカー先端の切れ目１０を押し広げ、二股に分かれて拡幅することになる。アンカー３の先端が二股に分かれて固定されるので、アンカー３本体の抜けと回転が防止される。
【００１２】
以上、実施例を説明したが、本発明の具体的な構成は前記実施例に限定されるものではなく、発明の要旨を逸脱しない範囲の設計変更等があっても本発明に含まれる。
例えば、前記実施例ではアンカー３の頭部７を正方形としたが、アンカーの頭部とプレートが契合する形状であればその形状は任意である。
また、前記実施例ではアンカーの頭部７とプレート１が契合する構成としたが、アンカーの軸部８とプレート１を契合させることも可能である。
【図面の簡単な説明】
【００１３】
【図１】測量地点明示プレート及びアンカーの斜視図である。
【図２】プレートの平面図である。
【図３】アンカーの側面図である。
【図４】施工状態を示す説明図である。
【符号の説明】
【００１４】
１  プレート
２  釘
３  アンカー
４  挿通孔
５  陥没部分
６  孔
７  頭部
８  軸部
９  挿通孔
１０  切れ目
１１  筋
【図１】
2007114010.tif 000003
【図２】
2007114010.tif 000004
【図３】
2007114010.tif 000005
【図４】
2007114010.tif 000006